(57)【特許請求の範囲】
【請求項１】
ペット用吸収性シートであって、
透液性の表面シートと、不透液性の裏面シートと、前記表面シートと前記裏面シートとの間に設けられた吸収コアと、前記表面シート側から視認可能な有色領域と、前記吸収コアよりも前記表面シート側に設けられた香料と、を有し、
前記吸収コアよりも前記表面シート側に抗菌剤及び／又は制菌剤が設けられており、
前記抗菌剤及び／又は前記制菌剤は、前記表面シートよりも前記吸収コア側に設けられており、
前記抗菌剤及び／又は前記制菌剤は無機物から形成されており、
前記香料はシクロデキストリンに包接されており、
前記シクロデキストリンはバインダにより固化されている、ペット用吸収性シート。
【請求項２】
前記表面シートと前記抗菌剤及び／又は前記制菌剤との間に設けられたカバー層をさらに有する、請求項１に記載のペット用吸収性シート。
【請求項３】
前記抗菌剤及び／又は前記制菌剤は粉体状である、請求項２に記載のペット用吸収性シート。
【請求項４】
前記吸収コアと前記表面シートとの間に設けられた高吸収性ポリマーをさらに有し、
前記抗菌剤及び／又は制菌剤は、前記高吸収性ポリマーの表面に付着した粉体である、請求項１から３のいずれか１項に記載のペット用吸収性シート。
【請求項５】
前記吸収コア内に設けられている吸収材の吸収速度は、前記高吸収性ポリマーの吸収速度よりも早い、請求項４に記載のペット用吸収性シート。
【請求項６】
前記吸収コアは１０００ｇ／ｍ２以上の保水力を有し、４０ｍＬの水を吸収させた前記吸収コアから３分後に染み出す水の量が１０ｇ以下である、請求項１から５のいずれか１項に記載のペット用吸収性シート。
【請求項７】
前記表面シートは前記有色領域を覆っており、
前記表面シートの全光線透過率が４０〜８０％であり、
前記有色領域の、Ｌ＊a＊ｂ＊表色系のＬ＊値が、５０以下である、請求項１から６のいずれか１項に記載のペット用吸収性シート。
【発明の詳細な説明】
【技術分野】
【０００１】
本発明は、ペットの排泄物すなわち尿を吸収するペット用吸収性シートに関する。
【背景技術】
【０００２】
ペットの排泄物すなわち尿を吸収するペット用吸収性シートが知られている。特開２０１４−１１７１８５号（以下、特許文献１と称する。）は、ペットの排泄物の隠蔽性に優れたペット用吸収性シートを開示している。特許文献１に記載のペット用吸収性シートは、排泄面側に向けられる透液性の表面シートと、不透液性の裏面シートと、表面シートと裏面シートとの間に設けられた吸収体と、を有する。このペット用吸収性シートは、排泄面側から視認可能な第１〜第３の配色領域を有する。第１〜第３の配色領域によって配色パターンが形成されることで、ペット用吸収性シート上に排泄された排泄物の痕跡が目立たなくなる。
【先行技術文献】
【特許文献】
【０００３】
【特許文献１】特開２０１４−１１７１８５号
【発明の概要】
【発明が解決しようとする課題】
【０００４】
上述のペット用吸収性シートでは、排泄物の痕跡が目立たなくなるため、ペット用吸収性シートに排泄物の痕跡があったとしても、視覚的な不快感は低下する。これにより、ユーザはペット用吸収性シートを長時間使用することが可能となる。しかしながら、一度排泄物が付着したペット用吸収性シートを長時間放置しておくと、排泄物が付着した部分（排泄部分）が腐敗してしまうおそれがある。  
【０００５】
本発明は、上述の課題に鑑みてなされたものであり、長時間使用したとしても排泄部分の腐敗を抑制することができるペット用吸収性シートを提供することを目的とする。
【課題を解決するための手段】
【０００６】
本開示に係るペット用吸収性シートは、透液性の表面シートと、不透液性の裏面シートと、表面シートと裏面シートとの間に設けられた吸収コアと、表面シート側から視認可能な有色領域と、を有する。吸収コアよりも表面シート側に抗菌剤及び／又は制菌剤が設けられている。
【発明の効果】
【０００７】
本発明によれば、長時間使用したとしても排泄部分の腐敗を抑制することができるペット用吸収性シートを提供することができる。
【図面の簡単な説明】
【０００８】
【図１】第１の実施形態に係るペット用吸収性シートの平面図である。
【図２】図１に示したＡ−Ａ線に沿ったペット用吸収性シートの断面図である。
【図３】第２の実施形態に係るペット用吸収性シートの断面図である。
【図４】第３の実施形態に係るペット用吸収性シートの断面図である。
【発明を実施するための形態】
【０００９】
以下、図面を参照して、実施形態に係るペット用吸収性シートについて説明する。なお、以下の図面の記載において、同一又は類似の部分には、同一又は類似の符号を付している。ただし、図面は模式的なものであり、各寸法の比率等は現実のものとは異なることに留意すべきである。したがって、具体的な寸法等は、以下の説明を参酌して判断すべきである。また、図面相互間においても互いの寸法の関係や比率が異なる部分が含まれ得る。
本明細書において、「ペット」は、脊椎動物や無脊椎動物を広く包含し、典型的には、猫、犬、ウサギ、ハムスターなどの愛玩動物を含む。
【００１０】
（１）ペット用吸収性シートの構成
図１は、ペット用吸収性シートの平面図である。図２は、図１に示したＡ−Ａ線に沿ったペット用吸収性シートの断面図である。ペット用吸収性シート１０は、平坦なシートである。シートの一方の面はペットの排泄物を受ける面であり、以下では「排泄面」とも称される。なお、図１は、排泄面側から見たペット用吸収性シートの平面図である。
【００１１】
ペット用吸収性シート１０は、表面シート１２と、裏面シート１４と、吸収コア２０と、を有する。吸収コア２０は、表面シート１２と裏面シート１４との間に設けられている。
【００１２】
表面シート１２は、ペットの排泄物のような液体を透過する透液性のシートである。表面シート１２は、特に制限されないが、例えばエアスルー不織布を用いることができる。裏面シート１４は、ペットの排泄物のような液体を透過しない不透液性のシートである。裏面シート１４は、特に制限されないが、例えば樹脂フィルムシートを用いることができる。
【００１３】
吸収コア２０は、パルプ及び吸収材を含んでいる。吸収材は、例えば、親水性繊維もしくは高吸収性ポリマー、又はこれらの組み合わせが挙げられる。吸収コア２０は１０００ｇ／ｍ２以上、好ましくは２０００ｇ／ｍ２以上の保水力を有し、４０ｍＬの水を吸収させた吸収コア２０から３分後に染み出す水の量が１０ｇ以下、好ましくは５ｇ以下である。
【００１４】
吸収コア２０は、コアラップ１６で巻かれていてよい。コアラップ１６は、例えばティッシュから形成することができる。表面シート１２と吸収コア２０との間には、少なくとも１層のカバー層４０が設けられていてもよい。カバー層４０は、ティッシュ又はＳＭＳ不織布から形成されていてよい。
【００１５】
図２に示す実施形態では、１層のカバー層４０が図示されている。このカバー層４０がティッシュから形成されている場合、カバー層４０はコアラップ１６とともに吸収コア２０を包み込む。
【００１６】
吸収コア２０よりも表面シート１２側に、高吸収性ポリマー３４が設けられていてよい。好ましくは、この高吸収性ポリマー３４は、吸収コア２０と表面シート１２との間に設けられている。より好ましくは、高吸収性ポリマー３４は、吸収コア２０とカバー層４０との間に設けられている。
【００１７】
好ましくは、吸収コア２０内に設けられている吸収材の吸収速度は、吸収コア２０よりも表面シート１２側に設けられた高吸収性ポリマー３４の吸収速度よりも早い。一例として、吸収コア２０内の吸収材の吸収速度は１８秒以下である。なお、本明細書において、「吸収速度」は、ボルテックス法により測定された吸水速度を意味する。
【００１８】
吸収コア２０よりも表面シート１２側に抗菌剤及び／又は制菌剤３０が設けられていてよい。好ましくは、抗菌剤及び／又は制菌剤３０は、表面シート１２よりも吸収コア２０側に設けられている。カバー層４０は、表面シート１２と抗菌剤及び／又は制菌剤３０との間に設けられていることが好ましい。
【００１９】
好ましくは、抗菌剤及び／又は制菌剤３０は粉体状である。より好ましくは、抗菌剤及び／又は制菌剤３０は粉体状の無機物から形成されている。さらに、粉体状の抗菌剤及び／又は制菌剤３０は、吸収コア２０よりも表面シート１２側に設けられた高吸収性ポリマー３４の表面に付着されていてよい。
【００２０】
抗菌剤は、第４級アンモニウム塩やパラオシキ安息香酸エステルなどの有機系抗菌剤であってもよい。あるいは、抗菌剤は、Ａｇ、Ｍｎ、Ｆｅ、Ｃｏ、Ｎｉ、Ｃｕ、Ｚｎなどの無機物を含む無機系抗菌剤であってもよい。これらの代わりに、抗菌剤は、茶葉やコーヒー抽出残渣などの天然素材を含む抗菌作用物質であってもよい。制菌剤は、有機酸や有機酸塩などの制菌作用物質であってよい。また、上記の例示の抗菌作用物質や制菌作用物質は、互いに混合されていてもよい。
【００２１】
ペット用吸収性シート１０は、吸収コア２０よりも表面シート１２側に設けられた香料３２を有していてよい。香料３２は、カバー層４０と吸収コア２０との間に設けられていてよい。
【００２２】
好ましくは、香料３２はシクロデキストリンに包接されている。より好ましくは、シクロデキストリンはバインダにより固化されている。バインダは、例えば、アラビアガム、ブドウ糖、グリセリンなどが挙げられる。シクロデキストリンとバインダとが結着した粒子の粒径が３０μｍ以上であることが好ましい。
【００２３】
シクロデキストリンは、α−シクロデキストリンやβ−シクロデキストリンなどの任意の種類のものであってよい。香料３２を包接するシクロデキストリンは、水溶性のものであってよい。
【００２４】
本実施形態では、抗菌剤及び／又は制菌剤３０と香料３２とが同一の層内に設けられている。これに限らず、ペット用吸収性シートは、互いに別の層内に抗菌剤及び／又は制菌剤３０と香料３２とを有していてもよい。また、一実施形態によれば、ペット用吸収性シートは、抗菌剤、制菌剤及び香料のうちの少なくとも一種を包含していればよい。
【００２５】
図３は、第２の実施形態に係るペット用吸収性シートの断面図である。なお、第１の実施形態と同一又は類似の構成要素には、同一又は類似の符号を付している。第２の実施形態に係るペット用吸収性シートは、第１の実施形態と同様に、表面シート１２と、裏面シート１４と、吸収コア２０と、コアラップ１６と、抗菌剤及び／又は制菌剤３０と、香料３２と、を有する。
【００２６】
第２の実施形態では、ペット用吸収性シートは、表面シート１２よりも吸収コア２０側に設けられたカバー層４２を有する。カバー層４２は、コアラップ１６よりも排泄面側に配置されている。カバー層４２は、ティッシュ又は不織布から形成されていてよい。好ましくは、カバー層４２は、ＳＭＳ不織布から形成される。
【００２７】
図４は、第３の実施形態に係るペット用吸収性シートの断面図である。なお、第１の実施形態と同一又は類似の構成要素には、同一又は類似の符号を付している。第３の実施形態に係るペット用吸収性シートは、第１の実施形態と同様に、表面シート１２と、裏面シート１４と、吸収コア２０と、コアラップ１６と、抗菌剤及び／又は制菌剤３０と、香料３２と、を有する。
【００２８】
第３の実施形態では、ペット用吸収性シートは、抗菌剤及び／又は制菌剤３０や香料３２と表面シート１２との間に、カバー層４２及びパルプ材４６が設けられている。カバー層４２は、ティッシュ又は不織布から形成されていてよい。カバー層４２がパルプ材４６の排泄面側に配置されていてもよいし、パルプ材４６がカバー層４２の排泄面側に配置されていてもよい。
【００２９】
パルプ材４６は、吸収コア２０とともにコアラップ１６より包まれている。パルプ材４６は、ペットの排泄物を速やかに吸収コア２０の方へ透過する。これにより、ペットが排泄物を排泄した後に、表面シート１２の乾きを促進することができる。
【００３０】
第１〜第３の実施形態では、１層のカバー層４０又は４２のみが図示されている。この代わりに、ペット用吸収性シートは、複数のカバー層を有していてもよい。
【００３１】
第１〜第３の実施形態において、ペット用吸収性シート１０は、表面シート１２側から視認可能な有色領域１８を有する。有色領域１８は、表面シート１２上に形成されていてもよい。その代わりに、有色領域１８は、表面シート１２よりも吸収コア２０側に設けられたカバー層４０，４２に形成されていてもよい。あるいは、有色領域１８は、吸収コア２０に形成されていてもよい。
【００３２】
好ましくは、有色領域１８は、表面シート１２よりも吸収コア２０側に形成されており、表面シート１２が有色領域１８を覆っている。この場合、表面シート１２の全光線透過率が４０〜８０％であり、有色領域１８の、Ｌ＊a＊ｂ＊表色系のＬ＊値が、５０以下であることが好ましい。ここで、全光線透過率は、ＪＩＳ  Ｋ  ７１０５に準拠した試験方法により測定できる。
【００３３】
Ｌ＊a＊ｂ＊表色系のＬ＊値が５０以下であるとは、いわゆる暗色であることを示す。暗色系は、液状の排泄物による色彩を吸収するため、排泄物を目立たなくする。表面シート１２の全光線透過率は、表面シート１２の厚み、表面シート１２を形成する材料、表面シート１２を形成する合成繊維の繊維密度などによって適宜調節できる。
【００３４】
（２）作用・効果
上記実施形態に係るペット用吸収性シート１０では、有色領域１８により、ユーザは、排泄物の痕跡を視認し難くなり、それゆえペット用吸収性シート１０を交換したくなるという衝動が抑制される。このように排泄物の痕跡が視認し難くなるため、視覚的な不快感が低下する。それゆえ、ユーザは、ペット用吸収性シート１０を長時間使用することが可能となる。このようにペット用吸収性シート１０を長時間使用したとしても、抗菌剤及び／又は制菌剤３０が排泄部分の腐敗を抑制することができる。抗菌剤及び／又は制菌剤３０が吸収コア２０よりも表面シート１２側に配置されているので、ペットの排泄物は、吸収コア２０に達する前に抗菌剤及び／又は制菌剤３０を通過する。ペットの排泄物はより確実に抗菌剤及び／又は制菌剤３０に触れるため、排泄物の腐敗を抑制する効果が向上する。
【００３５】
ペット用吸収性シート１０は一般に以下の２通りの使用態様がある。１つの使用態様では、ペット用吸収性シート１０は、ペットが排泄を行う上側部分とペットの排泄物を受ける下側部分とを含むシステムトイレで使用される。ペット用吸収性シート１０は、このシステムトイレの下側部分に設置される。この場合、ペットが排泄をする際、ペットはシステムトイレの上側部分に乗り、ペット用吸収性シート１０に直接乗ることはない。したがって、ペット用吸収性シート１０にペットの負荷がかからない。もう１つの使用態様では、ペット用吸収性シート１０は、ペットがペット用吸収性シート１０に直接乗った状態で使用される。この場合、抗菌剤及び／又は制菌剤３０が表面シート１２の表面に付着していると、抗菌剤及び／又は制菌剤３０がペットに刺激を与えるおそれがある。一実施形態では、抗菌剤及び／又は制菌剤３０が表面シート１２よりも吸収コア２０側、すなわち内側に設けられているため、ペットがペット用吸収性シート１０上に直接乗ったとしても、抗菌剤及び／又は制菌剤３０がペットに与える刺激を低減できる。
【００３６】
一実施形態では、ペット用吸収性シート１０は、表面シート１２と抗菌剤及び／又は制菌剤３０との間に設けられたカバー層をさらに有する。カバー層は、抗菌剤及び／又は制菌剤３０が表面シート１２へ漏洩することを抑制できる。特にカバー層としてティッシュ層を利用する場合、ティッシュ層の編目の大きさは一般に表面シート１２の編目の大きさよりも小さいため、抗菌剤及び／又は制菌剤３０の漏洩抑制効果が高い。
【００３７】
一実施形態では、抗菌剤及び／又は制菌剤３０は粉体状である。抗菌剤及び／又は制菌剤３０が液体状ではなく粉体状であるため、ペット用吸収性シート１０に負荷がかかったとしても、抗菌剤及び／又は制菌剤３０が表面シート１２まで染み出すことが抑制される。これにより、抗菌剤及び／又は制菌剤３０がペットに与える刺激をより低減できる。
【００３８】
抗菌剤及び／又は制菌剤３０が無機物から形成された粉体状である場合、抗菌剤及び／又は制菌剤３０は水に溶けない。これにより、抗菌剤及び／又は制菌剤３０は、表面シート１２及び／又はカバー層によりブロックされ、ペット用吸収性シート１０の表面へ滲み出し難くなる。
【００３９】
一実施形態では、ペット用吸収性シート１０は、吸収コア２０と表面シート１２との間に設けられた高吸収性ポリマー３４を有し、抗菌剤及び／又は制菌剤３０は高吸収性ポリマー３４の表面に付着した粉体でから形成される。高吸収性ポリマー３４は、吸収コア２０が保水し切れない水分又は吸収コア２０から染み出した水分を吸収することができる。また、抗菌剤及び／又は制菌剤３０は高吸収性ポリマー３４の表面に存在するため、吸収コア２０が保水し切れない水分又は吸収コア２０から染み出した水分中に抗菌剤及び／又は制菌剤３０が分散しやすい。これにより、抗菌効果又は制菌効果が効率的に発揮される。その結果、ペット用吸収性シート１０を長時間使用したとしても、微生物の繁殖が防止され、ペット用吸収性シート１０の腐敗や悪臭を抑制することができる。また、抗菌剤及び／又は制菌剤３０が高吸収性ポリマー３４の表面に付着しているため、抗菌剤及び／又は制菌剤３０が少量であっても、吸収コア２０の上に容易に均一に分散させることができる。さらに、ペット用吸収性シート１０の製造時に、高吸収性ポリマー３４と抗菌剤及び／又は制菌剤３０とを別々に散布する工程が必要でなく、抗菌剤及び／又は制菌剤３０を高吸収性ポリマー３４と同時に散布することができる。これにより、吸収コア２０上に高吸収性ポリマー３４と抗菌剤及び／又は制菌剤３０とを含むペット用吸収性シート１０を容易に製造することができる。
【００４０】
一実施形態によれば、吸収コア２０内に設けられている吸収材の吸収速度は、高吸収性ポリマー３４の吸収速度よりも早い。吸収コア２０よりも表面シート１２側に設けられた高吸収性ポリマー３４の吸収速度を遅くすることで、排泄物をできるだけ吸収コア２０へ吸収させることができる。また、吸収コア２０内に設けられている吸収材の吸収速度を早くすることで、尿を迅速に保水し、尿の拡散を抑制することができる。これにより、ペット用吸収性シート１０に一度尿が付着したとしても、尿の痕跡が付着していない領域が大きくなる。その結果、ペット用吸収性シート１０を複数回使用することができる。
【００４１】
一実施形態によれば、吸収コア２０は１０００ｇ／ｍ２以上、好ましくは２０００ｇ／ｍ２以上の保水力を有し、４０ｍＬの水を吸収させた吸収コア２０から３分後に染み出す水の量が１０ｇ以下、好ましくは５ｇ以下である。これにより、吸収コア２０に吸収された水分の量を増やし、吸収コア２０に吸収仕切れない水分又は一度吸収コア２０に吸収された後に吸収コア２０から染み出した水分を極力減らすことができる。これにより、ペット用吸収性シート１０の腐敗や微生物の繁殖を抑制することができる。また、排泄物の痕跡が存在したとしても、ペット用吸収性シート１０が湿っていない状態に維持される。そのため、ペットが、嫌がることなくペット用吸収性シート１０を複数回使用することができる。また、吸収コア２０の保水力を大きくすることで、吸収コア２０内での排泄物の拡散が抑止される。これにより、ペット用吸収性シート１０に一度排泄物が付着したとしても、排泄物の痕跡が付着していない領域が大きくなる。その結果、ペット用吸収性シート１０を複数回使用することができる。
【００４２】
一実施形態によれば、ペット用吸収性シート１０は、吸収コア２０よりも表面シート１２側に設けられた香料３２をさらに有する。これにより、吸収コア２０で吸収できなかった水分の臭いや、ペット用吸収性シート１０を構成する不織布などの素材に付着した排泄物の臭いを、長時間消臭することができる。
【００４３】
一実施形態によれば、香料３２はシクロデキストリンに包接されている。シクロデキストリンの香料徐放効果により、香料３２による消臭効果を長時間維持することができる。また、シクロデキストリンに包接されている香料３２は水分により放出されるため、ペット用吸収性シート１０に排泄物が付着したときに、より多くの香料３２を解放する。したがって、ユーザは、香料３２の匂いによってペットが排泄をしたことを認知することができる。
【００４４】
一実施形態によれば、シクロデキストリンはバインダにより固化されている。バインダにより、シクロデキストリンとバインダとが結合した結合粒子の粒子径が大きくなり、これにより結合粒子が表面シート１２又はカバー層を通過しにくくなる。それゆえ、ペット用吸収性シート１０の製造又は使用中に、シクロデキストリン及び香料３２がロスすることを抑制することができる。これにより、製造時のコスト効率が向上したり、消臭効果を長時間維持したりすることができる。
【００４５】
一実施形態によれば、表面シート１２は有色領域１８を覆っており、表面シート１２の全光線透過率が４０〜８０％であり、有色領域１８の、Ｌ＊a＊ｂ＊表色系のＬ＊値が、５０以下である。有色領域１８のＬ＊値が５０以下であるため、吸収コア２０が濡れた痕跡、すなわち排泄物の痕跡が目立たなくなる。また、有色領域１８を覆う表面シート１２の全光線透過率を低くすることで、排泄物の痕跡の隠蔽性が向上する。さらに、Ｌ＊値が低い有色領域１８は人の視覚に対して強いインパクトを与え得るが、全光線透過率が低い表面シート１２が有色領域１８を覆っているため、有色領域１８の存在感を低減することができる。上記構成により、ユーザは、ペット用吸収性シート１０に付着した排泄物の痕跡を視認し難くなり、快適に長時間ペット用吸収性シート１０を使用することができる。
【００４６】
上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００４７】
１０・・・ペット用吸収性シート
１２・・・表面シート
１４・・・裏面シート
１６・・・コアラップ
１８・・・有色領域
２０・・・吸収コア
３０・・・抗菌剤及び／又は制菌剤
３２・・・香料
３４・・・高吸収性ポリマー
４０・・・カバー層
４２・・・カバー層
４６・・・パルプ材
【要約】
【課題】長時間使用したとしても排泄部分の腐敗を抑制することができるペット用吸収性シートを提供する。
【解決手段】ペット用吸収性シート１０は、透液性の表面シート１２と、不透液性の裏面シート１４と、表面シート１２と裏面シート１４との間に設けられた吸収コア２０と、表面シート１２側から視認可能な有色領域１８と、を有する。吸収コア２０よりも表面シート１２側に抗菌剤及び／又は制菌剤３０が設けられている。
【選択図】図２【図１】
0005728123.tif 000002
【図２】
0005728123.tif 000003
【図３】
0005728123.tif 000004
【図４】
0005728123.tif 000005